(57)【要約】      （修正有）【課題】店舗の宣伝等に使用されるのぼり旗が、強い風によって巻き上げられることを防ぐためののぼり旗巻き上げ防止クリップを提供する。【解決手段】内壁面上部に複数の爪を設け連結突起を形成した略Ｌ字状の２つの連結部３ａを下部に備えた上クリップ３と先端両側に連結突起を形成した略Ｌ字型の制御部４ａを上面中央部に備えたクリップ制御片４を設けるとともに内壁面上部に複数の爪を設け中央に凸字状の空間を設け、下部には孔を穿設し、空間の左右に第１連結孔及び第２連結孔を穿設した連結突起受けを起立して設け、第１連結孔に連結突起を回動可能に挿通して上クリップと連結し、第２連結孔に連結突起を回動可能に挿通してクリップ制御片と連結した下クリップ５からなるクリップ部２と、孔に輪状の接続金具６を介して取り付けられた球体の重り７とからなることを特徴とする。【選択図】図１
0003135935.tif 000002
【実用新案登録請求の範囲】
【請求項１】
内壁面上部に複数の爪を設け連結突起を形成した略Ｌ字状の２つの連結部を下部に備えた上クリップと先端両側に連結突起を形成した略Ｌ字型の制御部を上面中央部に備えたクリップ制御片を設けるとともに内壁面上部に複数の爪を設け中央に凸字状の空間を設け、下部には孔を穿設し、前記空間の左右に第１連結孔及び第２連結孔を穿設した連結突起受けを起立して設け、前記第１連結孔に連結突起を回動可能に挿通して上クリップと連結し、前記第２連結孔に連結突起を回動可能に挿通してクリップ制御片と連結した下クリップからなるクリップ部と、前記孔に輪状の接続金具を介して取り付けられた球体の重りとからなることを特徴とするのぼり旗巻き上げ防止クリップ。
【考案の詳細な説明】
【技術分野】
【０００１】
本考案は、店舗の宣伝等に使用されるのぼり旗が強い風によって巻き上げられることを防ぐためののぼり旗巻き上げ防止クリップに関するものである。
【背景技術】
【０００２】
従来、のぼり旗が強い風によって旗竿に絡み付かないようにするための方法として、特許文献１に記載のように、のぼり旗の縦縁のループ布に旗竿を通し、上縁のループ布に横棒を通し、旗竿の下部をコンクリートブロックや柵などに固定してのぼり旗を掲げ、前記のぼり旗の隅部に砂袋の重りを市販のカーテン吊り下げ用クリップで咥えて取り付ける方法がある。
【０００３】
しかしながら、前記の方法ではクリップが弱いために風が強くなるに従い、風圧と重りの抵抗に耐えきれず、のぼり旗からクリップが外れてしまうこともある。また、砂袋を重りに用いるので、店舗前の広告としては見た目によくない。
【特許文献１】特開平０９−２９２８４９号
【考案の開示】
【考案が解決しようとする課題】
【０００４】
そこで、本考案は、クリップがのぼり旗から外れにくく、本体及び重りが小さいので見た目にも邪魔にならないのぼり旗の巻き上げ防止クリップを提供することを目的とするものである。
【課題を解決するための手段】
【０００５】
本考案は、上記の課題を解決するために、内壁面上部に複数の爪３ｂを設け連結突起３ｃを形成した略Ｌ字状の２つの連結部３ａを下部に備えた上クリップ３と先端両側に連結突起４ｂを形成した略Ｌ字型の制御部４ａを上面中央部に備えたクリップ制御片４を設けるとともに内壁面上部に複数の爪５ｆを設け中央に凸字状の空間５ｇを設け、下部には孔５ｂを穿設し、前記空間５ｇの左右に第１連結孔５ｄ及び第２連結孔５ｅを穿設した連結突起受け５ａを起立して設け、前記第１連結孔５ｄに連結突起３ｃを回動可能に挿通して上クリップ３と連結し、前記第２連結孔５ｅに連結突起４ｂを回動可能に挿通してクリップ制御片４と連結した下クリップ５からなるクリップ部２と、前記孔５ｂに輪状の接続金具６を介して取り付けられた球体の重り７とからなることを特徴とするのぼり旗巻き上げ防止クリップの構成とした。
【考案の効果】
【０００６】
本考案は、クリップ部の有する歯が下方向に突出していることで、のぼり旗下部をしっかりと挟み込むことができるので、強い風でもクリップが外れてしまうことがない。
【０００７】
また、のぼり旗巻き上げ防止クリップを構成する重りが小さな鉄球であるために、のぼり旗の見た目に邪魔にならずに、のぼり旗を押さえることができる。
【考案を実施するための最良の形態】
【０００８】
のぼり旗の巻き上げを防止するという目的を重りを付けた小さなクリップの内壁面に複数の爪を下向きになるように形成したことによって実現した。
【実施例１】
【０００９】
図１は本考案であるのぼり旗巻き上げ防止クリップの平面図、図２はのぼり旗巻き上げ防止クリップの左側面図、図３はのぼり旗巻き上げ防止クリップの平面図、図４はのぼり旗巻き上げ防止クリップの背面図である。
【００１０】
図１から図４に示すように、本考案であるのぼり旗巻き上げ防止クリップ１は、内壁面上部に複数の直角三角形状の爪３ｂを傾斜面が上側になるように形成し連結突起３ｃを形成した略Ｌ字状の２つの連結部３ａを下部に備えた上クリップ３と、先端両側に連結突起４ｂを形成した略Ｌ字型の制御部４ａを上面中央部に備えたクリップ制御片４と、内壁面上部に複数の直角三角形状の爪５ｆを傾斜面が上側になるように形成し中央に凸字状の空間５ｇを設け下部には楕円形状の孔５ｂを穿設し更に前記空間５ｇの左右に第１及び第２連結孔５ｄ、５ｅを穿設した連結突起受け５ａを起立して設け前記第１連結孔５ｄに連結突起３ｃを回動可能に挿通することで上クリップ３と連結し、前記第２連結孔５ｅに連結突起４ｂを回動可能に挿通することでクリップ制御片４と連結した下クリップ５からなるクリップ部２と、前記孔５ｂに輪状の接続金具６を介して取り付けられた球体の重り７とからなる。
【００１１】
前記上クリップ３は上部の内壁面に複数の爪３ｂを形成し、下部に略Ｌ字状で曲がり角の側面に連結突起３ｃを形成している。前記複数の爪３ｂは直角三角形状をしており、直角を形成する一辺が上クリップ３と垂直の関係にあり、傾斜面が上側になるように形成されている。そのため爪３ｂの先端部は下方を向いている。
【００１２】
前記クリップ制御片４は略Ｌ字状で先端部の両側に連結突起４ｂを形成した制御部４ａを上面中央部に備えており、下部は緩やかに湾曲している。
【００１３】
前記下クリップ５は上下が湾曲した平板状をしており、上部内壁面に複数の爪５ｆを形成し、下部に楕円形状の孔５ｂを形成している。前記複数の爪５ｆは直角三角形状をしており、直角を形成する一辺が下クリップ５と垂直関係にあり、傾斜面が上側になるように形成されている。そのため爪５ｆの先端部は下方を向いている。
【００１４】
また、前記下クリップ５の中央には凸字状の空間５ｇが穿設されており、この空間５ｇの左右に第１及び第２連結孔５ｄ、５ｅを穿設した連結突起受け５ａ、５ａが下クリップ５に対して垂直に起立して設けられている。
【００１５】
更に、下クリップ５の前記空間５ｇと孔５ｂの間の位置の左右辺には凹部５ｃ、５ｃが形成されている。
【００１６】
前記爪３ｂ、５ｆについては、直角三角形状としたが特に限定したものではなく、爪の先端部が上下クリップ３、５に対して垂直より下方に向いた状態であれば他の突起形状でよい。
【００１７】
図５はクリップ部の構造を示す左側面図、図６はクリップ部の構造を示す平面図、図７はのぼり旗巻き上げ防止クリップのＡ−Ａ線断面図である。図５から図７に示すように、上クリップ３は連結突起３ｃを第１連結孔５ｄに回動可能に挿通することにより下クリップ５に連結されており、クリップ制御片４は連結突起４ｂを第２連結孔５ｅに回動可能に挿通することにより下クリップ５に連結されている。
【００１８】
上下クリップ３、５はクリップ制御片４の動きに連動して開閉し、上下クリップ３、５が閉じた状態では爪３ｂ、５ｆが交互に交わっている。このように、上下クリップ３、５に形成された爪３ｂ、５ｆは上下クリップ３、５が閉じた状態では互いに交わるように位置がずらされて形成されている。
【００１９】
そのため、上下クリップ３、５で布等を挟んだ場合、上下クリップ３、５の爪３ｂ、５ｆがしっかりと布に食い込み容易に取ることはできない。更に、図５に示すように上下クリップ３、５の開閉はクリップ制御片４により制御されているため、クリップ制御片４に力を加えてロックを開閉しない限り、上下クリップ３、５が開閉することはできず、クリップ２はより強力に布等に取り付けられることとなる。
【００２０】
図８のぼり旗巻き上げ防止クリップの使用状態を示す図である。図８に示すように、略Ｌ字型に組んだ旗竿９ａに複数のループ９ｃを介してのぼり旗９ｂを取り付けたのぼり９において、本考案であるのぼり旗巻き上げ防止クリップ１を最も下のループ９ｃに取り付けて使用する。
【００２１】
このように、使用することでのぼり旗９ｂがのぼり旗巻き上げ防止クリップ１の重みで巻き上げを防止され、強い風が吹いた場合であってものぼり旗９ｂが巻き上げられず常にのぼり旗９ｂに描かれていることを確認することができる。
【図面の簡単な説明】
【００２２】
【図１】のぼり旗巻き上げ防止クリップの正面図である。
【図２】のぼり旗巻き上げ防止クリップの左側面図である。
【図３】のぼり旗巻き上げ防止クリップの平面図である。
【図４】のぼり旗巻き上げ防止クリップの背面図である。
【図５】クリップ部の構造を示す左側面図である。
【図６】クリップ部の構造を示す平面図である。
【図７】のぼり旗巻き上げ防止クリップのＡ−Ａ線断面図である。
【図８】のぼり旗巻き上げ防止クリップの使用状態を示す図である。
【符号の説明】
【００２３】
１            のぼり旗巻き上げ防止クリップ
２            クリップ部
３            上クリップ
３ａ          連結部
３ｂ          爪
３ｃ          連結突起
４            クリップ制御片
４ａ          制御部
４ｂ          連結突起
５            下クリップ
５ａ          連結突起受け
５ｂ          孔
５ｃ          凹部
５ｄ          第１連結孔
５ｅ          第２連結孔
５ｆ          爪
５ｇ          空間
６            接続金具
７            重り
８            隙間
９            のぼり
９ａ          旗竿
９ｂ          のぼり旗
９ｃ          ループ
【図１】
0003135935.tif 000003
【図２】
0003135935.tif 000004
【図３】
0003135935.tif 000005
【図４】
0003135935.tif 000006
【図５】
0003135935.tif 000007
【図６】
0003135935.tif 000008
【図７】
0003135935.tif 000009
【図８】
0003135935.tif 000010